(57)【要約】  マルチアンテナ通信方法およびマルチアンテナ通信システムを開示する。本発明によるマルチアンテナ通信方法は、複数の送信アンテナに対して、帯域拡散コードを用いてウェイトベクトルを決定するステップと、前記決定されたウェイトベクトルを用いて、前記各送信アンテナの目的の送信率を決定するステップと、前記決定された目的の送信率に対する情報をマルチアンテナ受信装置に送信するステップ、前記送信された目的の送信率に対する情報を受容したか否かを含むチャネル情報を、前記マルチアンテナ受信装置から受信するステップと、前記受信されたチャネル情報を用いて、前記マルチアンテナ受信装置にデータを送信するステップとを含む。
2011501606.tif 000002
【特許請求の範囲】
【請求項１】
複数の送信アンテナに対して、帯域拡散コードを用いてウェイトベクトルを決定するステップと、
前記決定されたウェイトベクトルを用いて、前記各送信アンテナの目的の送信率を決定するステップと、
前記決定された目的の送信率に対する情報をマルチアンテナ受信装置に送信するステップと、
前記送信された目的の送信率に対する情報を受容したか否かを含むチャネル情報を前記マルチアンテナ受信装置から受信するステップと、
前記受信されたチャネル情報を用いて、前記マルチアンテナ受信装置にデータを送信するステップと、
を含むことを特徴とするマルチアンテナ通信方法。
【請求項２】
前記マルチアンテナ受信装置に前記ウェイトベクトルを決定するためのコードブックの索引を要請するステップと、
前記要請に応じて、前記マルチアンテナ受信装置から前記コードブックの索引を受信するステップと、
前記受信されたコードブックの索引を参照し、前記ウェイトベクトルを決定するステップと、
をさらに含むことを特徴とする請求項１に記載のマルチアンテナ通信方法。
【請求項３】
選択された時間の間、前記マルチアンテナ受信装置から前記チャネル情報を受信しない場合、前記決定されたウェイトベクトルを変更して前記目的の送信率を再送信するステップをさらに含むことを特徴とする請求項１に記載のマルチアンテナ通信方法。
【請求項４】
選択された時間の間、前記マルチアンテナ受信装置から前記送信されたデータに対する受信確認メッセージを受信しない場合、前記決定されたウェイトベクトルを変更して前記データを再送信するステップをさらに含むことを特徴とする請求項１に記載のマルチアンテナ通信方法。
【請求項５】
前記ウェイトベクトルの変更に連動し、通信リンクを再設定するために前記目的の送信率を再送信するステップをさらに含むことを特徴とする請求項４に記載のマルチアンテナ通信方法。
【請求項６】
前記帯域拡散コードは、直交符号またはアダマール行列を含むことを特徴とする請求項１に記載のマルチアンテナ通信方法。
【請求項７】
複数の受信アンテナに対して、帯域拡散コードを用いてウェイトベクトルを決定するステップと、
前記決定されたウェイトベクトルを用いて、前記各受信アンテナのチャネル状態値を測定するステップと、
前記測定されたチャネル状態値と予め選択されたコードブック値とを比較し、マルチアンテナ送信装置からの目的の送信率に対する情報を受容するか否かを判断するステップと、
前記判断された目的の送信率に対する情報を受容したか否かを含むチャネル情報を前記マルチアンテナ送信装置にフィードバックするステップと、
を含むことを特徴とするマルチアンテナ通信方法。
【請求項８】
前記マルチアンテナ送信装置からの要請に応じて、前記チャネル状態値と前記コードブック値とを比較することによって、前記マルチアンテナ送信装置の送信アンテナのウェイトベクトルを決定するためのコードブックの索引を検索するステップと、
前記検索されたコードブックの索引を前記マルチアンテナ送信装置に送信するステップと、
をさらに含むことを特徴とする請求項７に記載のマルチアンテナ通信方法。
【請求項９】
ウェイトベクトルを決定する前記ステップは、
前記複数の受信アンテナに対するチャネルを予測するステップと、
前記予測されたチャネルに基づいて前記複数の受信アンテナに対するウェイトベクトルを決定するステップと、
を含むことを特徴とする請求項７に記載のマルチアンテナ通信方法。
【請求項１０】
前記測定されたチャネル状態値と選択された閾値とを比較するステップと、
前記比較結果に応じて前記コードブックを第２コードブックにスイッチングするステップと、
をさらに含むことを特徴とする請求項７に記載のマルチアンテナ通信方法。
【請求項１１】
前記コードブックのビットを繰り返して用いることによって、前記コードブックにて用いられるフィードバックビット数と第２コードブックのビット数が対応されるようにするステップをさらに含むことを特徴とする請求項７に記載のマルチアンテナ通信方法。
【請求項１２】
複数の送信アンテナを介してマルチアンテナ受信装置の受信アンテナによって測定されたチャネル状態値を受信するステップと、
前記受信されたチャネル状態値に基づいて、変調方式および目的の送信率を決定するステップと、
前記決定された変調方式によってデータを変調し、前記決定された目的の送信率に応じて前記変調したデータを前記マルチアンテナ受信装置に送信するステップと、
を含むことを特徴とするマルチアンテナ通信方法。
【請求項１３】
変調方式および目的の送信率を決定する前記ステップは、
前記受信されるチャネル状態値が選択された値以上である場合、前記チャネル状態が良好であると判断し、前記変調方式および前記目的の送信率を高次の変調方式および高い目的の送信率に決定するステップと、
前記受信されるチャネル状態値が選択された値未満である場合、前記チャネル状態が良好でないと判断し、前記変調方式および前記目的の送信率を低次の変調方式および低い送信率に決定するステップと、
を含むことを特徴とする請求項１２に記載のマルチアンテナ通信方法。
【請求項１４】
複数の送信アンテナに対して、帯域拡散コードを用いてウェイトベクトルを決定するベクトル決定部と、
前記決定されたウェイトベクトルを用いて、前記各送信アンテナの目的の送信率を決定する送信率決定部と、
前記決定された目的の送信率に対する情報をマルチアンテナ受信装置に送信する送信部と、
前記送信された目的の送信率に対する情報を受容したか否かを含むチャネル情報を前記マルチアンテナ受信装置から受信する受信部と、含み、
前記送信部は、
前記受信されたチャネル情報を用いて前記マルチアンテナ受信装置にデータを送信することを特徴とするマルチアンテナ通信システム。
【請求項１５】
前記受信部は、前記マルチアンテナ受信装置に前記ウェイトベクトルを決定するためのコードブックの索引を要請し、前記要請に応じて前記マルチアンテナ受信装置から前記コードブックの索引を受信し、
前記ベクトル決定部は、前記受信されたコードブックの索引を参照し、前記ウェイトベクトルを決定することを特徴とする請求項１４に記載のマルチアンテナ通信システム。
【請求項１６】
前記ベクトル決定部は、選択された時間の間、前記マルチアンテナ受信装置から前記チャネル情報を受信しない場合、前記決定されたウェイトベクトルを変更し、
前記送信部は、前記変更されたウェイトベクトルによって再度決定された目的の送信率を再送信することを特徴とする請求項１４に記載のマルチアンテナ通信システム。
【請求項１７】
前記ベクトル決定部は、選択された時間の間、前記マルチアンテナ受信装置から前記送信されたデータに対する受信確認メッセージを受信しない場合、前記決定されたウェイトベクトルを変更し、
前記送信部は、前記変更されたウェイトベクトルによって再度決定された目的の送信率に前記データを再送信することを特徴とする請求項１４に記載のマルチアンテナ通信システム。
【請求項１８】
前記帯域拡散コードは、直交符号またはアダマール行列を含むことを特徴とする請求項１４に記載のマルチアンテナ通信システム。
【請求項１９】
複数の受信アンテナに対して、帯域拡散コードを用いてウェイトベクトルを決定するベクトル決定部と、
前記決定されたウェイトベクトルを用いて、前記各受信アンテナのチャネル状態値を測定するチャネル測定部と、
前記測定されたチャネル状態値と予め選択されたコードブック値とを比較し、マルチアンテナ送信装置からの目的の送信率に対する情報を受容するか否かを判断する判断部と、
前記判断された目的の送信率に対する情報を受容したか否かを含むチャネル情報を前記マルチアンテナ送信装置にフィードバックする送信部と、
を含むことを特徴とするマルチアンテナ通信システム。
【請求項２０】
前記マルチアンテナ送信装置からの要請に応じて、前記チャネル状態値と前記コードブック値とを比較することによって、前記マルチアンテナ送信装置の送信アンテナのウェイトベクトルを決定するためのコードブックの索引を検索する検索部をさらに含み、
前記送信部は、前記検索されたコードブックの索引を前記マルチアンテナ送信装置に送信することを特徴とする請求項１９に記載のマルチアンテナ通信システム。
【請求項２１】
前記ベクトル決定部は、前記複数の受信アンテナに対するチャネルを予測し、前記予測されたチャネルに基づいて前記複数の受信アンテナに対するウェイトベクトルを決定することを特徴とする請求項１９に記載のマルチアンテナ通信システム。
【発明の詳細な説明】
【技術分野】
【０００１】
本発明は、マルチアンテナ通信方法およびマルチアンテナ通信システムに関する。
【０００２】
本発明は、情報通信部および情報通信研究振興院のＩＴ成長動力技術開発事業の一環として行われる研究から導き出されたものである［課題管理番号：２００７−Ｓ−００２−０１、課題名：Ｍｕｌｔｉ−Ｇｉｇａｂｉｔ無線インタフェース技術開発］。
【背景技術】
【０００３】
データの高い送信率を要求するＷＰＡＮ（Ｗｉｒｅｌｅｓｓ  Ｐｅｒｓｏｎａｌ  Ａｒｅａ  Ｎｅｔｗｏｒｋ）のような応用分野においてＭＩＭＯ（Ｍｕｌｔｉｐｌｅ  Ｉｎｐｕｔ  Ｍｕｌｔｉｐｌｅ  Ｏｕｔｐｕｔ）技術は必須である。しかし、複数のＲＦ（Ｒａｄｉｏ  Ｆｒｅｑｕｅｎｃｙ）チェーンを有する多数のアンテナは、多数のアンテナおよび同数のＲＦチェーンによってチップの値段が高価であるだけでなく、高いハードウェアの複雑度を求める。
【０００４】
また、ミリメートル波無線送信システムのアンテナ選択技法は、ＲＦチェーンにオン（ｏｎ）およびオフ（ｏｆｆ）が繰り返されるため、使用電力が増大するだけでなく、オフされてからオンになるとき超高周波回路の反応速度によって具現の複雑度を大きく増加させる恐れがある。このようなシステムは、たとえ最適の性能を得るとしても低価の低電力が求められるＷＰＡＮのような応用分野には適しない。
【０００５】
したがって、使用電力を減らしてＲＦチェーンの具現を容易にすることのできるマルチアンテナ通信技術が求められている。
【発明の概要】
【発明が解決しようとする課題】
【０００６】
本発明は、上記のような従来技術を改善するために案出されたものであって、本発明の目的は使用電力を減らしてＲＦチェーンの具現を容易にすることのできるマルチアンテナ通信方法およびシステムを提供することにある。
【０００７】
本発明の他の目的は、チャネル環境に応じて適応変調を行うことによって周波数の効率性を高め、通信の信頼度を向上させることのできるマルチアンテナ通信方法およびシステムを提供することにある。
【０００８】
本発明のまた目的は、送受信機に直交符号（ｗａｌｓｈ  ｃｏｄｅ）を用いるウェイトベクトルの量子化ビームフォーミング基盤無線送信技法を合成することによって、複雑度の小さいマルチアンテナ通信システムを提供することにある。
【０００９】
本発明の目的は、以上に記載された目的に制限されず、記載されていない他の目的は、下記の記載によって当業者にとって明確に理解されるであろう。
【課題を解決するための手段】
【００１０】
前述した目的を達成し、従来技術の問題を解決するために、本発明の一側面によるマルチアンテナ通信方法は、複数の送信アンテナに対して、帯域拡散コードを用いてウェイトベクトルを決定するステップと、前記決定されたウェイトベクトルを用いて、前記各送信アンテナの目的の送信率（ターゲット送信率）を決定するステップと、前記決定された目的の送信率に対する情報をマルチアンテナ受信装置に送信するステップと、前記送信された目的の送信率に対する情報を受容したか否かを含むチャネル情報を前記マルチアンテナ受信装置から受信するステップと、前記受信されたチャネル情報を用いて、前記マルチアンテナ受信装置にデータを送信するステップとを含む。
【００１１】
本発明の一側面によるマルチアンテナ通信方法は、前記マルチアンテナ受信装置に前記ウェイトベクトルを決定するためのコードブックの索引を要請するステップと、前記要請に応じて、前記マルチアンテナ受信装置から前記コードブックの索引を受信するステップと、前記受信されたコードブックの索引を参照し、前記ウェイトベクトルを決定するステップとをさらに含んでもよい。
【００１２】
本発明の一側面によるマルチアンテナ通信方法は、選択された時間の間、前記マルチアンテナ受信装置から前記チャネル情報を受信しない場合、前記決定されたウェイトベクトルを変更して前記目的の送信率を再送信するステップをさらに含んでもよい。
【００１３】
本発明の一側面によるマルチアンテナ通信方法は、選択された時間の間、前記マルチアンテナ受信装置から前記送信されたデータに対する受信確認メッセージを受信しない場合、前記決定されたウェイトベクトルを変更して前記データを再送信するステップをさらに含んでもよい。
【００１４】
本発明の一側面によるマルチアンテナ通信方法は、前記ウェイトベクトルの変更に連動し、通信リンクを再設定するために前記目的の送信率を再送信するステップをさらに含んでもよい。
【００１５】
前記帯域拡散コードは、直交符号またはアダマール行列を含んでもよい。
【００１６】
本発明の他の側面によるマルチアンテナ通信方法は、複数の受信アンテナに対して、帯域拡散コードを用いてウェイトベクトルを決定するステップと、前記決定されたウェイトベクトルを用いて、前記各受信アンテナのチャネル状態値を測定するステップと、前記測定されたチャネル状態値と予め選択されたコードブック値とを比較し、マルチアンテナ送信装置からの目的の送信率に対する情報を受容するか否かを判断するステップと、前記判断された目的の送信率に対する情報を受容したか否かを含むチャネル情報を前記マルチアンテナ送信装置にフィードバックするステップとを含む。
【００１７】
本発明の他の側面によるマルチアンテナ通信方法は、前記マルチアンテナ送信装置からの要請に応じて、前記チャネル状態値と前記コードブック値とを比較することによって、前記マルチアンテナ送信装置の送信アンテナのウェイトベクトルを決定するためのコードブックの索引を検索するステップと、前記検索されたコードブックの索引を前記マルチアンテナ送信装置に送信するステップとをさらに含んでもよい。
【００１８】
ウェイトベクトルを決定する前記ステップは、前記複数の受信アンテナに対するチャネルを予測するステップと、前記予測されたチャネルに基づいて前記複数の受信アンテナに対するウェイトベクトルを決定するステップとを含んでもよい。
【００１９】
本発明の更なる側面によるマルチアンテナ通信方法は、複数の送信アンテナを介してマルチアンテナ受信装置の受信アンテナによって測定されたチャネル状態値を受信するステップと、前記受信されたチャネル状態値に基づいて、変調方式および目的の送信率を決定するステップと、前記決定された変調方式によってデータを変調し、前記決定された目的の送信率に応じて前記変調したデータを前記マルチアンテナ受信装置に送信するステップとを含む。
【００２０】
変調方式および目的の送信率を決定する前記ステップは、前記受信されるチャネル状態値が選択された値以上である場合、前記チャネル状態が良好であると判断し、前記変調方式および前記目的の送信率を高次の変調方式および高い目的の送信率に決定するステップと、前記受信されるチャネル状態値が選択された値未満である場合、前記チャネル状態が良好でないと判断し、前記変調方式および前記目的の送信率を低次の変調方式および低い送信率に決定するステップとを含んでもよい。
【００２１】
本発明の一側面によるマルチアンテナ通信システムは、複数の送信アンテナに対して、帯域拡散コードを用いてウェイトベクトルを決定するベクトル決定部と、前記決定されたウェイトベクトルを用いて、前記各送信アンテナの目的の送信率を決定する送信率決定部と、前記決定された目的の送信率に対する情報をマルチアンテナ受信装置に送信する送信部と、前記送信された目的の送信率に対する情報を受容したか否かを含むチャネル情報を前記マルチアンテナ受信装置から受信する受信部とを含み、前記送信部は、前記受信されたチャネル情報を用いて前記マルチアンテナ受信装置にデータを送信する。
【００２２】
前記受信部は、前記マルチアンテナ受信装置に前記ウェイトベクトルを決定するためのコードブックの索引を要請し、前記要請に応じて前記マルチアンテナ受信装置から前記コードブックの索引を受信し、前記ベクトル決定部は、前記受信されたコードブックの索引を参照し、前記ウェイトベクトルを決定してもよい。
【００２３】
前記ベクトル決定部は、選択された時間の間、前記マルチアンテナ受信装置から前記チャネル情報を受信しない場合、前記決定されたウェイトベクトルを変更し、前記送信部は、前記変更されたウェイトベクトルによって再度決定された目的の送信率を再送信してもよい。
【００２４】
前記ベクトル決定部は、選択された時間の間、前記マルチアンテナ受信装置から前記送信されたデータに対する受信確認メッセージを受信しない場合、前記決定されたウェイトベクトルを変更し、前記送信部は、前記変更されたウェイトベクトルによって再度決定された目的の送信率に前記データを再送信してもよい。
【００２５】
前記帯域拡散コードは、直交符号またはアダマール行列を含んでもよい。
【００２６】
本発明の他の側面によるマルチアンテナ通信システムは、複数の受信アンテナに対して、帯域拡散コードを用いてウェイトベクトルを決定するベクトル決定部と、前記決定されたウェイトベクトルを用いて、前記各受信アンテナのチャネル状態値を測定するチャネル測定部と、前記測定されたチャネル状態値と予め選択されたコードブック値とを比較し、マルチアンテナ送信装置からの目的の送信率に対する情報を受容するか否かを判断する判断部と、前記判断された目的の送信率に対する情報を受容したか否かを含むチャネル情報を前記マルチアンテナ送信装置にフィードバックする送信部とを含む。
【００２７】
本発明の他の側面によるマルチアンテナ通信システムは、前記マルチアンテナ送信装置からの要請に応じて、前記チャネル状態値と前記コードブック値とを比較することによって、前記マルチアンテナ送信装置の送信アンテナのウェイトベクトルを決定するためのコードブックの索引を検索する検索部をさらに含み、前記送信部は、前記検索されたコードブックの索引を前記マルチアンテナ送信装置に送信してもよい。
【００２８】
前記ベクトル決定部は、前記複数の受信アンテナに対するチャネルを予測し、前記予測されたチャネルに基づいて前記複数の受信アンテナに対するウェイトベクトルを決定してもよい。
【００２９】
その他の実施形態の具体的な事項は、詳細な説明および添付する図面に含まれる。
【００３０】
本発明の利点および特徴およびこれを達成する方法は、添付する図面と共に詳細に後述される実施形態を参照すれば明確になるのであろう。しかし、本発明は、以下で開示する実施形態に限定されることはなく、互いに異なる様々な形態によって具現されることができ、ただ、本実施形態は、本発明の開示が完全なものとなるよう本発明が属する技術分野における通常の知識を有する者に発明の範疇を完全に知らせるため提供されるものであり、本発明は請求項の範疇によって定められるにすぎない。明細書の全般にわたって同一の参照符号は同一の構成要素を示す。
【発明の効果】
【００３１】
本発明の実施形態によれば、使用電力を減らしてＲＦチェーンの具現を容易にすることができる。
【００３２】
本発明の実施形態によれば、チャネル環境に応じて適応変調を行うことによって周波数の効率性を高め、通信の信頼度を向上させることができる。
【００３３】
本発明の実施形態によれば、送受信機に直交符号を用いるウェイトベクトルの量子化ビームフォーミング基盤無線送信技法を合成することによって、マルチアンテナ通信システムの複雑度を減らすことができる。
【図面の簡単な説明】
【００３４】
【図１】本発明の実施形態に係るマルチアンテナ通信システムを説明するするために示す概念図である。
【図２】図１のマルチアンテナ送信装置を説明するために示すブロック図である。
【図３】図１のマルチアンテナ受信装置を説明するために示すブロック図である。
【図４】本発明の一実施形態に係るマルチアンテナ通信方法を説明するために示すフローチャートである。
【図５】本発明の他の実施形態に係るマルチアンテナ通信方法を説明するために示すフローチャートである。
【図６】本発明のまた他の実施形態に係るマルチアンテナ通信システムを説明するために示すフローチャートである。
【図７】本発明の実施形態によって２個、３個、４個のアンテナを有する送受信装置において、単位行列および直交符号をコードブックに用いるときの性能比較を示す図である。
【図８】本発明の実施形態によって、２個、３個、４個のアンテナを有する送受信装置において、単位行列および直交符号をコードブックに用いるときの信号対ノイズ比率値によるビットエラー率の性能比較を示す図である。
【発明の実施するための形態】
【００３５】
以下、添付された図面を参照して本発明の実施形態に係るマルチアンテナ通信システムおよび方法を詳細に説明する。
【００３６】
図１は、本発明の実施形態に係るマルチアンテナ通信システムを説明するために示す概念図である。
【００３７】
図１を参照すれば、本発明の実施形態に係るマルチアンテナ通信システムは、マルチアンテナ送信装置１１０およびマルチアンテナ受信装置１３０を含む。
【００３８】
マルチアンテナ送信装置１１０は、複数の送信アンテナ１２０に対して帯域拡散コードを用いてウェイトベクトル（ｗｅｉｇｈｔｉｎｇ  ｖｅｃｔｏｒ）を決定し、決定されたウェイトベクトルを用いて各送信アンテナ１２０の目的の送信率（ターゲット送信率）を決定する。また、マルチアンテナ送信装置１１０は、決定された目的の送信率に対する情報をマルチアンテナ受信装置１３０に送信し、送信された目的の送信率に対する情報を受容したか否かを含むチャネル情報を、マルチアンテナ受信装置１３０から受信する。これによって、マルチアンテナ送信装置１１０は、受信されたチャネル情報を用いてマルチアンテナ受信装置１３０にデータを送信する。
【００３９】
マルチアンテナ受信装置１３０は、複数の受信アンテナ１４０に対して帯域拡散コードを用いてウェイトベクトルを決定し、決定されたウェイトベクトルを用いて各受信アンテナ１４０のチャネル状態値を測定する。また、マルチアンテナ受信装置１３０は、測定されたチャネル状態値と予め選択されたコードブック値とを比較し、マルチアンテナ送信装置１１０からの目的の送信率に対する情報を受容するか否かを判断し、判断された目的の送信率に対する情報を受容したか否かを含むチャネル情報を、マルチアンテナ送信装置１１０にフィードバックする。
【００４０】
以下は図１のマルチアンテナ送信装置１１０およびマルチアンテナ受信装置１３０に対して具体的に説明することにする。
【００４１】
図２は、図１のマルチアンテナ送信装置１１０を説明するために示すブロック図である。
【００４２】
図１および図２を参照すれば、マルチアンテナ送信装置１１０は、ベクトル決定部２１０、送信率決定部２２０、送信部２３０、受信部２４０、および制御部２５０を含む。
【００４３】
ベクトル決定部２１０は、複数の送信アンテナ１２０に対して帯域拡散コードを用いてウェイトベクトルを決定する。ここで、帯域拡散コードは、直交符号またはアダマール行列（ｈａｄａｍａｒｄ  ｍａｔｒｉｘ）を含む。すなわち、ベクトル決定部２１０は、直交符号またはアダマール行列を用いて複数の送信アンテナ１２０のウェイトベクトルを決定してもよい。
【００４４】
ベクトル決定部２１０は、受信部２４０によってコードブックの索引が受信される場合、受信されたコードブックの索引を参照してウェイトベクトルを決定されてもよい。
【００４５】
すなわち、ベクトル決定部２１０は、直交符号またはアダマール行列を用いて、複数の送信アンテナ１２０に対して任意のウェイトベクトルを決定してもよく、マルチアンテナ受信装置１３０から受信するコードブックの索引を用いて、複数の送信アンテナ１２０のウェイトベクトルを最終的に決定してもよい。
【００４６】
このとき、ベクトル決定部２１０は選択された時間の間、マルチアンテナ受信装置１３０から目的の送信率に対する情報を受容したか否かを含むチャネル情報を受信しない場合、決定されたウェイトベクトルを変更してもよい。これによって、送信部２３０は、変更されたウェイトベクトルによって再度決定された目的の送信率をマルチアンテナ受信装置１３０に再送信してもよい。
【００４７】
一方、ベクトル決定部２１０は選択された時間の間、マルチアンテナ受信装置１３０から送信されたデータに対する受信確認メッセージを受信しない場合、決定されたウェイトベクトルを変更してもよい。これによって、送信部２３０は、変更されたウェイトベクトルによって再度決定された目的の送信率にデータを再送信してもよい。
【００４８】
送信率決定部２２０は、決定されたウェイトベクトルを用いて、各送信アンテナ１２０の目的の送信率を決定する。このために、送信率決定部２２０は、ウェイトベクトルが決定された送信アンテナ１２０を介してマルチアンテナ受信装置１３０からチャネル状態値を受信し、受信されたチャネル状態値を目的の送信率を決定する基礎情報として活用してもよい。
【００４９】
すなわち、送信率決定部２２０は、マルチアンテナ受信装置１３０から受信されるチャネル状態値が良好である場合、送信アンテナ１２０の目的の送信率を高く設定してもよい。一方、送信率決定部２２０は、マルチアンテナ受信装置１３０から受信されるチャネル状態値が良好でない場合、送信アンテナ１２０の目的の送信率を低く設定してもよい。
【００５０】
送信部２３０は、決定された目的の送信率に対する情報をマルチアンテナ受信装置１３０に送信する。また、送信部２３０は受信部２４０によって目的の送信率に対する情報を受容したか否かを含むチャネル情報が受信される場合、受信されたチャネル情報を用いてマルチアンテナ受信装置１３０にデータを送信してもよい。すなわち、送信部２３０は、マルチアンテナ受信装置１３０において目的の送信率に対する情報を受容する場合、目的の送信率に応じてマルチアンテナ受信装置１３０にデータを送信してもよい。
【００５１】
受信部２４０は、送信された目的の送信率に対する情報を受容したか否かを含むチャネル情報を、マルチアンテナ受信装置１３０から受信する。これによって、送信部２３０は、受信されたチャネル情報を用いてマルチアンテナ受信装置１３０にデータを送信する。
【００５２】
受信部２４０は、マルチアンテナ受信装置１３０にウェイトベクトルを決定するためのコードブックの索引を要請する。ここで、コードブックは、ショット（ｓｈｏｒｔ）コードブックとロング（ｌｏｎｇ）コードブックとに区分されが、受信部２４０は、ショットコードブックとロングコードブックを区別するための１つのビットをマルチアンテナ受信装置に送信し、２つのコードブックのうち１つの索引を要請してもよい。また、受信部２４０は、要請に対する応答として、マルチアンテナ受信装置１３０から２つのコードブックのうち１つの索引を受信してもよい。このとき、受信部２４０は、ショットコードブックにおけるビットを繰り返す方式によって、ショットコードブックにおいて用いられるフィードバックビットの数とロングコードブックビットの数を合わせてもよい。これによって、ベクトル決定部２１０は、受信されたコードブックの索引を参照し、複数の送信アンテナ１２０のウェイトベクトルを最終的に決定してもよい。
【００５３】
制御部２５０は、マルチアンテナ送信装置１１０を全般的に制御する役割をする。すなわち、制御部２５０は、ベクトル決定部２１０、送信率決定部２２０、送信部２３０、受信部２４０等を含むマルチアンテナ送信装置１１０の動作を制御してもよい。
【００５４】
図３は、図１のマルチアンテナ受信装置１３０を説明するために示すブロック図である。
【００５５】
図１および図３を参照すれば、マルチアンテナ受信装置１３０は、ベクトル決定部３１０、チャネル測定部３２０、判断部３３０、検索部３４０、送信部３５０、および制御部３６０を含む。
【００５６】
ベクトル決定部３１０は、複数の受信アンテナ１４０に対して、帯域拡散コードを用いてウェイトベクトルを決定する。ここで、帯域拡散コードは、直交符号またはアダマール行列を含む。すなわち、ベクトル決定部３１０は、直交符号またはアダマール行列を用いて複数の受信アンテナ１４０のウェイトベクトルを決定してもよい。
【００５７】
一方、ベクトル決定部３１０は、複数の受信アンテナ１４０に対するチャネルを予測し、予測されたチャネルに基づいて複数の受信アンテナ１４０に対するウェイトベクトルを決定してもよい。
【００５８】
チャネル測定部３２０は、決定されたウェイトベクトルを用いて各受信アンテナ１４０のチャネル状態値を測定する。
【００５９】
判断部３３０は、測定されたチャネル状態値と予め選択されたコードブック値とを比較し、マルチアンテナ送信装置１１０からの目的の送信率に対する情報を受容するか否かを判断する。
【００６０】
すなわち、判断部３３０は、測定されたチャネル状態値がコードブック値以上である場合、マルチアンテナ送信装置１１０からの目的の送信率に対する情報を受容するものと判断する。一方、判断部３３０は、測定されたチャネル状態値がコードブック値未満である場合、マルチアンテナ送信装置１１０からの目的の送信率に対する情報を受容しないと判断する。
【００６１】
検索部３４０は、マルチアンテナ送信装置１１０からの要請に応じてチャネル状態値とコードブック値とを比較することによって、マルチアンテナ送信装置１１０の送信アンテナ１２０のウェイトベクトルを決定するためのコードブックの索引を検索する。
【００６２】
すなわち、検索部３４０はチャネル状態値がコードブック値以上である場合、所定のデータベースからコードブックの索引を検索してもよい。これによって、送信部３５０は、検索されたコードブックの索引をマルチアンテナ送信装置１１０に送信してもよい。
【００６３】
送信部３５０は、判断された目的の送信率に対する情報を受容したか否かを含むチャネル情報をマルチアンテナ送信装置１１０にフィードバックする。例えば、送信部３５０は、目的の送信率に対する情報を受容したか否かおよびチャネル状態値をマルチアンテナ送信装置１１０にフィードバックしてもよい。
【００６４】
また、送信部３５０は、マルチアンテナ送信装置１１０からの要請に応じて検索部３４０によって検索されたコードブックの索引をマルチアンテナ送信装置１１０に送信する。
【００６５】
制御部３６０は、マルチアンテナ受信装置１３０を全般的に制御する役割をする。すなわち、制御部３６０は、ベクトル決定部３１０、チャネル測定部３２０、判断部３３０、検索部３４０、送信部３５０等を含むマルチアンテナ受信装置１３０の動作を制御してもよい。
【００６６】
図４は、本発明の一実施形態に係るマルチアンテナ通信方法を説明するために示すフローチャートである。ここで、本発明の一実施形態に係るマルチアンテナ通信方法は、図１のマルチアンテナ送信装置１１０によって具現されてもよい。
【００６７】
図１および図４を参照すれば、ステップＳ４１０において、マルチアンテナ送信装置１１０は、複数の送信アンテナに対して帯域拡散コードを用いてウェイトベクトルを決定する。ここで、帯域拡散コードは、直交符号またはアダマール行列を含んでもよい。すなわち、マルチアンテナ送信装置１１０は、直交符号またはアダマール行列を用いて複数の送信アンテナ１２０のウェイトベクトルを決定してもよい。
【００６８】
マルチアンテナ送信装置１１０は、マルチアンテナ受信装置１３０からコードブックの索引を受信する場合、受信されたコードブックの索引を参照してウェイトベクトルを決定してもよい。
【００６９】
すなわち、マルチアンテナ送信装置１１０は、直交符号またはアダマール行列を用いて複数の送信アンテナ１２０に対して任意のウェイトベクトルを決めてもよく、マルチアンテナ受信装置１３０から受信したコードブックの索引を用いて複数の送信アンテナ１２０のウェイトベクトルを最終的に決定してもよい。
【００７０】
このとき、マルチアンテナ送信装置１１０は選択された時間の間、マルチアンテナ受信装置１３０から目的の送信率に対する情報を受容したか否かを含むチャネル情報を受信しない場合、決定されたウェイトベクトルを変更してもよい。また、マルチアンテナ送信装置１１０は、ウェイトベクトルの変更に連動して通信リンクを再設定するために目的の送信率をマルチアンテナ受信装置１３０に再送信してもよい。
【００７１】
これによって、マルチアンテナ送信装置１１０は、変更されたウェイトベクトルによって再度決定された目的の送信率をマルチアンテナ受信装置１３０に再送信してもよい。
【００７２】
一方、マルチアンテナ送信装置１１０は選択された時間の間、マルチアンテナ受信装置１３０から送信されたデータに対する受信確認メッセージを受信しない場合、決定されたウェイトベクトルを変更してもよい。これによって、マルチアンテナ送信装置１１０は、変更されたウェイトベクトルによって再度決定された目的の送信率にデータを再送信してもよい。
【００７３】
次に、ステップＳ４２０において、マルチアンテナ送信装置１１０は、決定されたウェイトベクトルを用いて各送信アンテナ１２０の目的の送信率を決定する。このために、マルチアンテナ送信装置１１０は、ウェイトベクトルが決定された送信アンテナ１２０を介してマルチアンテナ受信装置１３０からチャネル状態値を受信し、受信されたチャネル状態値を目的の送信率を決定する基礎情報として活用してもよい。
【００７４】
すなわち、マルチアンテナ送信装置１１０は、マルチアンテナ受信装置１３０から受信されるチャネル状態値が良好である場合、送信アンテナ１２０の目的の送信率を高く設定してもよい。一方、マルチアンテナ送信装置１１０は、マルチアンテナ受信装置１３０から受信されるチャネル状態値が良好でない場合、送信アンテナ１２０の目的の送信率を低く設定してもよい。
【００７５】
次に、ステップＳ４３０において、マルチアンテナ送信装置１１０は、決定された目的の送信率に対する情報をマルチアンテナ受信装置１３０に送信する。また、マルチアンテナ送信装置１１０は、目的の送信率に対する情報を受容したか否かを含むチャネル情報を受信する場合、受信されたチャネル情報を用いてマルチアンテナ受信装置１３０にデータを送信してもよい。すなわち、マルチアンテナ送信装置１１０は、マルチアンテナ受信装置１３０において目的の送信率に対する情報を受容する場合、目的の送信率に応じてマルチアンテナ受信装置１３０にデータを送信してもよい。
【００７６】
次に、ステップＳ４４０において、マルチアンテナ送信装置１１０は、送信された目的の送信率に対する情報を受容したか否かを含むチャネル情報をマルチアンテナ受信装置１３０から受信する。
【００７７】
また、マルチアンテナ送信装置１１０は、マルチアンテナ受信装置１３０にウェイトベクトルを決定するためのコードブックの索引を要請し、要請に応じてマルチアンテナ受信装置１３０からコードブックの索引を受信してもよい。これによって、マルチアンテナ送信装置１１０は、受信されたコードブックの索引を参照し、複数の送信アンテナ１２０のウェイトベクトルを最終的に決定してもよい。
【００７８】
次に、ステップＳ４５０において、マルチアンテナ送信装置１１０は、受信されたチャネル情報を用いてマルチアンテナ受信装置１３０にデータを送信する。
【００７９】
図５は、本発明の他の実施形態に係るマルチアンテナ通信方法を説明するために示すフローチャートである。ここで、本発明の他の実施形態に係るマルチアンテナ通信方法は、図１のマルチアンテナ受信装置１３０によって具現されてもよい。
【００８０】
図１および図５を参照すれば、ステップＳ５１０において、マルチアンテナ受信装置１３０は、複数の受信アンテナ１４０に対して帯域拡散コードを用いてウェイトベクトルを決定する。ここで、帯域拡散コードは、直交符号またはアダマール行列を含んでもよい。すなわち、マルチアンテナ受信装置１３０は、直交符号またはアダマール行列を用いて複数の受信アンテナ１４０のウェイトベクトルを決定してもよい。
【００８１】
一方、マルチアンテナ受信装置１３０は、複数の受信アンテナ１４０に対するチャネルを予測し、予測されたチャネルに基づいて複数の受信アンテナ１４０に対するウェイトベクトルを決定してもよい。
【００８２】
次に、ステップＳ５２０において、マルチアンテナ受信装置１３０は、決定されたウェイトベクトルを用いて、各受信アンテナ１４０のチャネル状態値を測定する。
【００８３】
次に、ステップＳ５３０において、マルチアンテナ受信装置１３０は、測定されたチャネル状態値と予め選択されたコードブック値とを比較する。
【００８４】
次に、ステップＳ５４０において、マルチアンテナ受信装置１３０は、ステップＳ５３０の比較を介してマルチアンテナ送信装置１１０からの目的の送信率に対する情報を受容するか否かを判断する。すなわち、マルチアンテナ受信装置１３０は、測定されたチャネル状態値がコードブック値以上である場合、マルチアンテナ送信装置１１０からの目的の送信率に対する情報を受容するか否かを判断する。一方、マルチアンテナ受信装置１３０は、測定されたチャネル状態値が前記コードブック値未満である場合、マルチアンテナ送信装置１１０からの目的の送信率に対する情報を受容しないと判断する。
【００８５】
一方、マルチアンテナ受信装置１３０は、マルチアンテナ送信装置１１０からマルチアンテナ送信装置１１０の送信アンテナ１２０のウェイトベクトルを決定するためのコードブックの索引が要請される場合、ステップＳ５３０の比較を介してコードブックの索引を検索する。
【００８６】
すなわち、マルチアンテナ受信装置１３０は、チャネル状態値がコードブック値以上である場合、所定のデータベースからコードブックの索引を検索してもよい。これによって、マルチアンテナ受信装置１３０は、検索されたコードブックの索引をマルチアンテナ送信装置１１０に送信してもよい。
【００８７】
次に、ステップＳ５５０において、マルチアンテナ受信装置１３０は、判断された目的の送信率に対する情報を受容したか否かを含むチャネル情報を、マルチアンテナ送信装置１１０にフィードバックする。例えば、マルチアンテナ受信装置１３０は、目的の送信率に対する情報を受容したか否かおよびチャネル状態値をマルチアンテナ送信装置１１０にフィードバックしてもよい。
【００８８】
また、マルチアンテナ受信装置１３０は、マルチアンテナ送信装置１１０からの要請に応じて検索されたコードブックの索引をマルチアンテナ送信装置１１０に送信する。
【００８９】
図６は、本発明の更なる実施形態に係るマルチアンテナ通信システムを説明するために示すフローチャートである。
【００９０】
図１および図６を参照すれば、ステップＳ６１０において、マルチアンテナ受信装置１３０は、複数の受信アンテナ１４０を介してチャネル状態値を測定する。
【００９１】
次に、ステップＳ６２０において、マルチアンテナ受信装置１３０は、測定されたチャネル状態値をマルチアンテナ送信装置１１０にフィードバックする。
【００９２】
次に、ステップＳ６３０において、マルチアンテナ送信装置１１０は、複数の送信アンテナ１２０を介してマルチアンテナ受信装置１３０の受信アンテナ１４０によって測定されたチャネル状態値を受信する。
【００９３】
次に、ステップＳ６４０において、マルチアンテナ送信装置１１０は、受信されたチャネル状態値に基づいて変調方式および目的の送信率を決定する。
【００９４】
すなわち、マルチアンテナ送信装置１１０は、受信されるチャネル状態値が選択された値以上である場合、チャネル状態が良好であると判断し、変調方式および目的の送信率を高次の変調方式および高い目的の送信率に決定してもよい。
【００９５】
一方、マルチアンテナ送信装置１１０は、受信されるチャネル状態値が選択された値未満である場合、チャネル状態が良好でないと判断し、変調方式および目的の送信率を低次の変調方式および低い送信率に決定してもよい。
【００９６】
次に、ステップＳ６５０において、マルチアンテナ送信装置１１０は、決定された変調方式に応じてデータを変調する。
【００９７】
次に、ステップＳ６６０において、マルチアンテナ送信装置１１０は、決定された目的の送信率に応じて変調されたデータをマルチアンテナ受信装置１３０に送信する。
【００９８】
一方、図１において、ビームフォーミングは、マルチアンテナ送信装置１１０における送信アンテナ１２０Ｗｔ、ｊ（ｊ＝１、２、…、Ｔ）のウェイトとマルチアンテナ受信装置１３０における受信アンテナ１４０Ｗｒ、ｋ（ｋ＝１、２、…、Ｒ）のウェイトとを受信信号対ノイズ比率（ＳＮＢ）を最大化する方式によって決定してもよい。
【００９９】
マルチアンテナ送信装置１１０およびマルチアンテナ受信装置１３０のウェイトベクトルを数式的なモデルに表示すると次の数式１のように表してもよい。
【数１】
2011501606.tif 000003
【０１００】
マルチアンテナ送信装置１１０の送信信号をＳといい、無線チャネルＨを次の数式２のマトリックスで表すとき、受信信号ｒは次の数式３のように表してもよい。
【数２】
2011501606.tif 000004
【数３】
2011501606.tif 000005
ここで、ｎは白色ノイズ（ＡＷＧＮ：Ａｄｄｉｔｉｖｅ  Ｗｈｉｔｅ  Ｇａｕｓｓｉａｎ  Ｎｏｉｓｅ）であり、ＲＸ１のベクトル形態である。
【０１０１】
このとき、マルチアンテナ受信装置１３０のビームフォーミングアンテナ１４０の受信ウェイトベクトルＷｒを乗算すれば、最終ビームフォーミングの出力信号は次の数式４のように表してもよい。
【数４】
2011501606.tif 000006
上記の数式４からマルチアンテナ受信装置１３０のビームフォーミング後、受信信号の信号対ノイズ比率を求めれば、次の数式５のとおりである。
【数５】
2011501606.tif 000007
【０１０２】
受信信号の信号対ノイズ比率を最大化するＷｒ、Ｗｔを求める過程は、Ｔ．Ｋ．Ｙ．Ｌｏによる「ｍａｘｉｍｕｍ  ｒａｔｉｏ  ｔｒａｎｓｍｉｓｓｉｏｎ」、ＩＥＥＥ  Ｔｒａｎｓ．Ｃｏｍｍｕｎ．、ｖｏｌ．４７、Ｎｏ．１０、ｐｐ．１４５８−１４６１、１９９９（ｇｅｎｅｒａｌ  ｄｅｓｃｒｉｐｔｉｏｎ  ｉｎ  ｃａｌｃｕｌａｔｉｎｇ  ｔｈｅ  ｗｅｉｇｈｔ  ｖｅｃｔｏｒｓ）にて上述のとおりである。上記で提案する無線通信システムを最適化するＷｒ、Ｗｔを求めると次の数式６のように表してもよい。
【数６】
2011501606.tif 000008
【０１０３】
実際のビームフォーミングを用いるシステムでは、マルチアンテナ受信装置１３０でチャネルＨを予測し、予測されたチャネルに基づいてＷｔを算出し、マルチアンテナ送信装置１１０にフィードバックの形態に伝達する。
【０１０４】
このとき、送信アンテナ１２０のビームフォーミングウェイトベクトルＷｔをマルチアンテナ送信装置１１０にフィードバックする方法は大きく２種類がある。第１に、Ｗｔを算出した結果の位相または振幅を特定のビット数に量子化してフィードバックする方法があり、第２に、マルチアンテナ送信装置１１０とマルチアンテナ受信装置１３０にそれぞれコードブックというテーブルを有し、最も最適のウェイトベクトルＷｔを発生することのできるコードブックである索引を送信する方法がある。
【０１０５】
コードブックの索引方法において、コードブックの大きさがＴ×Ｎとすれば、カラムの大きさであるＮの索引の最小値はシーリング（Ｌｏｇ２（Ｎ））でなければならず、Ｎ値が増加するにつれてコードブックの大きさを増加させてもよい。一般的に、複雑度を最小化するために最小のコードブックの大きさを維持する場合があるが、このとき、マルチアンテナ受信装置１３０は、コードブックを直交した形態のランダム行列に発生し、それぞれのカラムベクトルと最大の信号対ノイズ比率（ＳＮＲ）値を与えるためのコードブックのインデックスを探してマルチアンテナ送信装置１１０にフィードバックする。
【０１０６】
ここで、最小コードブックの形態として単位行列を使用する方法は、Ｓ．ＳａｎａｙｅｉとＡ．Ｎｏｓｒａｔｉｎｉａによる「Ｏｐｐｏｒｔｕｎｉｓｔｉｃ  Ｂｅａｍｆｏｒｍｉｎｇ  ｗｉｔｈ  ｌｉｍｉｔｅｄ  ｆｅｅｄｂａｃｋ」、ＩＥＥＥ  Ｔｒａｎｓ  Ｗｉｒｅｌｅｓｓ  Ｃｏｍｍｕｎ．、Ｖｏｌ．６、Ｎｏ．８、ｐｐ．２７６５−２７７１、Ａｕｇｕｓｔ  ２００７にて提案された。Ｓ．ＳａｎａｙｅｉとＡ．Ｎｏｓｒａｔｉｎｉａの主張は、マルチアンテナ送信装置１１０側のビームフォーミングのための送信アンテナ１２０が常に一個のみ用いられるため、フィードバック送信の複雑度を減らすことができるという。
【０１０７】
しかし、ミリメートル波（ｍｍ−ｗａｖｅ）システムにおいて、超高周波回路を要求するトランシーバー（ｔｒａｎｓｃｅｉｖｅｒ）にてＲＦのチェーンがオンとオフを繰り返すことに対する電力損失が逆に大きく作用し、オフされてからオンになるときの反応速度に応じて具現上に困難がある。これと同様に最小のコードブックを維持しながら単位行列と同じ性能を表してオン／オフせず、常に簡単に位相差のみ０度と１８０度にシフトする方法であって、本発明の実施形態では直交符号またはアダマール行列を提案する。
【０１０８】
例えば、アンテナ２個または４個のときの直交符号の形態は次のような数式７のように表してもよい。
【数７】
2011501606.tif 000009
【０１０９】
一般的に、アンテナ個数が２ｋに該当する直交符号Ｃは次の数式８のように表してもよい。
【数８】
2011501606.tif 000010
【０１１０】
アンテナが２個、３個、４個である場合、コードブックに単位行列と直交符号を用いるときの性能に対する比較は図７に示すとおりである。下記の性能は信号対ノイズ比率（ＳＮＲ）値による周波数の効率性を性能指標とし、レイリー波（ｒａｙｌｅｉｇｈ）無線チャネルを仮定した。図７において、Ｓｅｌのように表す部分は単位行列を用いると一種の送信アンテナ１２０の選択ビームフォーミング技法に用いられる送信アンテナ１２０を選択する結果と同じであるため、Ｓｅｌと表した。また、図８において、信号対ノイズ比率（ＳＮＲ）値によるビットエラー率（ＢＥＲ）の性能曲線も同じ性能を有することが分かる。
【０１１１】
一般的に、性能はフィードバックの送信率（フィードバックに用いられるビット数）に応じて異なる。すなわち、性能はフィードバックの送信率を高めるほど良好になるのである。本発明の実施形態では、良好な性能のためにフィードバックの送信率を増加させる必要がある場合、コードブックの種類をショットコードブックとロングコードブックとに分けてフィードバックする技法を採用してもよい（ただ、最小のフィードバックを必要とする場合は除外）。
【０１１２】
本発明の実施形態では、ショットコードブックとして直交符号ブックまたはアダマール行列コードブックを用てもよく、ロングコードブックとしてフーリエ（ｆｏｕｒｉｅｒ）コードブックまたは一般的な位相差と振幅の組み合せのロングコードブックを用いてもよい。
【０１１３】
また、本発明の実施形態では、性能値に応じてショットコードブックからロングコードブックに転換することのできるスイッチング技術を採用してもよい。
【０１１４】
例えば、マルチアンテナ受信装置は、ショットコードブックのコードブックベクトル値を用いて導き出された受信出力値（受信出力信号対ノイズ比（ＳＮＲ）値、受信信号電力値、交差相関器の出力値、対数尤度比（ＬＬＲ：Ｌｏｇ  Ｌｉｋｅｈｏｏｄ  Ｒａｔｉｏ）値、またはこの組み合せによって表現される受信出力値）が特定に求められる閾値よりも小さいとき、ショットコードブックからロングコードブックにスイッチングする。
【０１１５】
スイッチングのための閾値は、適応変調で求められる閾値に応じて決定してもよい。
【０１１６】
本発明の一実施形態として、下の表１は信号対ノイズ比（ＳＮＲ）値を用いる場合、非符号化されたシステムにおいてＱＡＭ（Ｑｕａｄｒａｔｕｒｅ  Ａｍｐｌｉｔｕｄｅ  Ｍｏｄｕｌａｔｉｏｎ）に基づいて設定された閾値を表したものである。
【表１】
2011501606.tif 000011
【０１１７】
上記の表１において、ｎ値は変調の大きさを示す。例えば、ｎ＝２は２ｎ大きさのＱＡＭ、すなわち４−ＱＡＭまたはＱＰＳＫを表し、ｎ＝８は２８＝２５６であるため２５６−ＱＡＭを表す。一方、γＴｎは特定のＢＥＲ（Ｂｉｔ  Ｅｒｒｏｒ  Ｒａｔｅ）を満たすために各変調にて必要とする閾値を表す。例えば、表１を介して０．００１（ＢＥＲ＝１０−３）の１６−ＱＡＭを満たす閾値は１０．５２ｄＢである。
【０１１８】
このように、マルチアンテナ受信装置は表１を参照し、求められる変調の大きさに相応するようスイッチング閾値を設定するコードブックを用いることによって、常に求める性能を満すことができる。このとき、マルチアンテナ受信装置は、必要以上にロングコードブックを頻繁に使用しないことで、マルチアンテナ送信装置の複雑度を簡便化することができる。
【０１１９】
なお、本発明の実施形態は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。上述したハードウェア装置は、本発明の動作を行うため１つ以上のソフトウェアモジュールとして作動するよう構成され、その逆も同様である。
【０１２０】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【０１２１】
１１０：マルチアンテナ送信装置
１２０：送信アンテナ
１３０：マルチアンテナ受信装置
１４０：受信アンテナ
２１０、３１０：ベクトル決定部
２２０：送信率決定部
２３０、３５０：送信部
２４０：受信部
３２０：チャネル測定部
３３０：判断部
３４０：検索部
【図１】
2011501606.tif 000012
【図２】
2011501606.tif 000013
【図３】
2011501606.tif 000014
【図４】
2011501606.tif 000015
【図５】
2011501606.tif 000016
【図６】
2011501606.tif 000017
【図７】
2011501606.tif 000018
【図８】
2011501606.tif 000019
【国際調査報告】
2011501606.tif 000020
2011501606.tif 000021